(57)【要約】【課題】防水性を確実に確保しつつ、照射方向の変更も簡単かつ確実に行える照明器具を提供する。【解決手段】本発明は、設置壁に埋込状態に取り付けられる環状のベース枠１と、前面がベース枠１の枠内に対向した状態でベース枠１の後側に配置され、かつベース枠１にその軸心に対し直交する軸に平行な軸Ｙを中心に回転自在に支持される光源ユニット５とを備え、光源ユニット５の前面から出射した照明光がベース枠１の枠内を通過して前方に照射されるようにした照明器具を対象とする。伸縮性および防水性を有する防水カバー９が、光源ユニット５の前端部外周面とベース枠１との間の周囲全域を覆うように取り付けられている。【選択図】図４
2018125161.tif 000002
【特許請求の範囲】
【請求項１】
設置壁に埋込状態に取り付けられる環状のベース枠と、前面が前記ベース枠の枠内に対向した状態で前記ベース枠の後側に配置され、かつ前記ベース枠にその軸心に対し直交する軸に平行な軸を中心に回転自在に支持される光源ユニットとを備え、前記光源ユニットの前面から出射した照明光が前記ベース枠の枠内を通過して前方に照射されるようにした照明器具であって、
伸縮性および防水性を有する防水カバーが、前記光源ユニットの前端部外周面と前記ベース枠との間の周囲全域を覆うように取り付けられていることを特徴とする照明器具。
【請求項２】
前記防水カバーが、蛇腹状の軟性素材によって構成されている請求項１に記載の照明器具。
【請求項３】
前記防水カバーが、遮光性を有する素材によって構成されている請求項１または２に記載の照明器具。
【発明の詳細な説明】
【技術分野】
【０００１】
この発明は、防水性を有し、かつ照射方向を調整することができる角度可変式のダウンライト等の照明器具に関する。
【背景技術】
【０００２】
従来、天井に埋め込むように取り付けられるダウンライトにおいて、照射方向を自在に調整することができるユニバーサルダウンライト等の照明器具が周知である。例えば下記特許文献１〜３に示す照明器具は、天井壁の設置孔に取り付けられるベース枠と、そのベース枠に水平な軸回りに回転自在に取り付けられ、かつ下向きに照明光を出射する光源ユニットとを備えている。そして下側からベース枠内に手指を差し込んで光源ユニットを回転操作することによって、照射方向を自在に調整できるように構成されている。
【０００３】
一方、屋外に設置されるダウンライト等の照明器具は、防水性を備える必要があるが、このような屋外用のダウンライトにおいては例えば、ベース枠の下端開口面に透明な防水カバーが水密状態に取り付けられることによって、防水性を確保するのが一般的である。
【先行技術文献】
【特許文献】
【０００４】
【特許文献１】特開２０１６−９１９５５号
【特許文献２】特開２０１６−６６４９７号
【特許文献３】特開２０１６−１２６８３６号
【発明の概要】
【発明が解決しようとする課題】
【０００５】
しかしながら、上記従来の屋外用のダウンライト等の照明器具においては、ベース枠の下端開口面に防水カバーを取り付けるようにしているため、ベース枠内に下側から手指を差し込むことができなくなってしまう。このため角度可変式のダウンライトを採用している場合において、照射方向を変更する際には、面倒なことに防水カバーを取り外してから、ベース枠内に手指を差し込んで光源ユニットを回転操作して照射方向を調整した後、再度、防水カバーを取り付ける必要がある。このように従来の屋外用の角度可変式ダウンライトにおいては照射方向を変更する際に、防水カバーを着脱するという面倒な作業が必要であるため、設置後における照射方向の変更が困難であるという課題を抱えている。
【０００６】
この発明は、上記の課題に鑑みてなされたものであり、防水性を確実に確保しつつ、照射方向の変更も簡単かつ確実に行うことができる角度可変式の屋外用ダウンライト等の照明器具を提供することを目的とする。
【課題を解決するための手段】
【０００７】
上記課題を解決するため、本発明は、以下の手段を備えるものである。
【０００８】
［１］設置壁に埋込状態に取り付けられる環状のベース枠と、前面が前記ベース枠の枠内に対向した状態で前記ベース枠の後側に配置され、かつ前記ベース枠にその軸心に対し直交する軸に平行な軸を中心に回転自在に支持される光源ユニットとを備え、前記光源ユニットの前面から出射した照明光が前記ベース枠の枠内を通過して前方に照射されるようにした照明器具であって、
伸縮性および防水性を有する防水カバーが、前記光源ユニットの前端部外周面と前記ベース枠との間の周囲全域を覆うように取り付けられていることを特徴とする照明器具。
【０００９】
［２］前記防水カバーが、蛇腹状の軟性素材によって構成されている前項１に記載の照明器具。
【００１０】
［３］前記防水カバーが、遮光性を有する素材によって構成されている前項１または２に記載の照明器具。
【発明の効果】
【００１１】
発明［１］の照明器具によれば、光源ユニットの下端外周面とベース枠との間の周囲全域に伸縮性を有する防水カバーを取り付けているため、前方からベース枠内に入り込んだ水分は防水カバーによって、天井裏等の内部に浸入するのを防止でき、十分な防水性を確保することができる。さらに光源ユニットおよびベース枠間の外周を覆う防水カバーによって防水性を確保しているため、例えばベース枠の前端開口面に防水カバーを取り付ける必要がなく、その防水カバーに妨げられることなく前端開口面を介して光源ユニットの角度調整操作を簡単かつ確実に行うことができる。
【００１２】
発明［２］の照明器具によれば、防水カバーを蛇腹状の軟性素材、例えばゴム製チューブによって構成しているため、伸縮性を十分に確保することができ、光源ユニットの角度調整操作を無理なくスムーズに行うことができる。
【００１３】
発明［３］の照明器具によれば、防水カバーを遮光性の素材によって構成しているため、防水カバーによって視線が遮られることにより、照明器具のベース枠内を前方から覗き込んだ際に、不用意に天井裏等の内部の状況が認識されることがなく、良好な美観を得ることができる。
【図面の簡単な説明】
【００１４】
【図１】図１はこの発明の実施形態である照明器具を示す斜視図である。
【図２】図２は実施形態の照明器具を分解して示す斜視図である。
【図３】図３は実施形態の照明器具を示す平面図である。
【図４】図４は実施形態の照明器具を示す側面断面図である。
【図５】図５は実施形態の照明器具において光源ユニットを傾倒させた状態で示す側面図である。
【図６】図６は実施形態の照明器具において光源ユニットを傾倒させた状態で示す側面断面図である。
【発明を実施するための形態】
【００１５】
図１はこの実施形態である照明器具を示す斜視図、図２は分解斜視図、図３は平面図、図４は側面断面図であって、図３のIV−IV線断面に相当する断面図である。
【００１６】
これらの図に示すように本実施形態の照明器具は、防水性を有し、かつ照射方向を自在に調整することができる屋外用のユニバーサルダウンライトを構成するものである。なお本発明の照明器具においては照明光を照射する方向を前方、その反対方向を後方とするものであるが、本実施形態の照明器具は天井壁に取り付けられるダウンライトを構成するものであるため、照明光を照射する方向である下方が前方に相当し、上方が後方に相当するものである。
【００１７】
本実施形態の照明器具は、ベース枠１と、光源ユニット５と、防水カバー９とを基本的な構成要素として備えている。
【００１８】
ベース枠１は、固定枠２と、回転枠３と、ベース枠カバー４とを備えている。固定枠２は、下端外周縁部に外側に突出するフランジ２１が形成されたつば付きの円筒形状を有している。この固定枠２の円筒部の外周面には、全周を覆うようにして略円筒状のベース枠カバー４が取り付けられている。
【００１９】
回転枠３は、固定枠２と径寸法がほぼ同じ大きさの略円環状に形成されており、固定枠２の上側に同軸上に配置された状態で、固定枠２に対しベース枠１（固定枠２）の軸心Ｘ１を中心として回転自在に取り付けられている。また固定枠２の枠内には反射板３１が配置されている。反射板３１は、下方に向かうに従って径寸法が大きくなる円筒状（円錐台状）に形成されている。この反射板３１は上端部が回転枠３に固定されており、回転枠３と一体となって固定枠２に対しベース枠１の軸心Ｘ１を中心に回転できるように構成されている。
【００２０】
また固定枠２の外周面には、板ばねによって構成される３つの取付ばね２２が周方向に等間隔おきに取り付けられている。各取付ばね２２はベース枠カバー４の上方から外側に引き出されて外径方向に突出するように配置されている。
【００２１】
そして、各取付ばね２２を上方に折り畳むように弾性変形させた状態で天井壁の設置孔に下方側から嵌め込んで各取付ばね２２を弾性復帰させると、取付ばね２２が天井壁の上方で側方に展開して天井壁の上面に当接する。これにより取付ばね２２およびフランジ２１が天井壁の設置孔周縁部を挟持し、ベース枠１が天井壁に埋め込まれた状態に取り付けられて、照明器具全体が天井壁に保持されるように構成されている。
【００２２】
ベース枠１に取り付けられる光源ユニット５は、上下両端が開放された円筒状のケーシング５１を有している。ケーシング５１内には、光源５２が収容されている。光源５２はＬＥＤ（Ｌｉｇｈｔ  Ｅｍｉｔｔｉｎｇ  Ｄｉｏｄｅ）等の半導体発光素子等によって構成されており、その発光面が下面側に配置されて照明光（ＬＥＤ光）を下向きに照射できるように構成されている。
【００２３】
ケーシング５１の下端開口部側には、光源５２の下方に位置するようにレンズ５３が取り付けられ、さらにケーシング５１の下端開口部におけるレンズ５３の下方には、保護透明板５４が水密状態に取り付けられている。またケーシング５１の上端開口部には、光源５２から発生する熱を放出するためのヒートシンク５５が取り付けられている。
【００２４】
ケーシング５１の外周面上端における両側部には、光源ユニット５を上記ベース枠１に取り付けるための支持アーム５６の上端が固定されている。支持アーム５６は光源ユニット５の軸心Ｘ２と平行に下方に延びるように配置されており、支持アーム５６の下端がケーシング５１の下端よりも下方に突出するように配置されている。
【００２５】
防水カバー９は、蛇腹状の軟性素材、例えばゴム製チューブによって構成されており、伸縮性を備えている。この防水カバー９は、上端が小径で下端に向かうに従って大径となるような円錐台形状を有し、かつ防水性および遮光性を有する黒色の素材によって構成されている。さらに防水カバー９は、その上端開口縁部が蛇腹形状を有しない嵌着部９１として構成されるとともに、下端開口縁部には外側に突出するフランジ部９２が形成されている。
【００２６】
この防水カバー９の下端フランジ部９２が上記ベース枠１における回転枠３の上面に載置されるとともに、その防水カバー９のフランジ部９２上にリング状の押え金具１５が、ねじ止めによって押え金具１５がフランジ部９２と共に回転枠３に固定される。これにより防水カバー９の下端フランジ部９２が回転枠３に密着した水密状態で固定される。
【００２７】
上記押え金具１５には、その一部が切り起こされることによって取付片１７が形成されている。取付片１７は、上記光源ユニット５の支持アーム５６の下端に対応する２箇所に設けられている。
【００２８】
そして光源ユニット５における支持アーム５６の下端が、ベース枠１の取付片１７に、水平軸回りに、つまりベース枠１の軸心Ｘ１に対し直交する軸に平行な軸（回転軸）Ｙを中心として回転自在に取り付けられる。よって光源ユニット５をベース枠１に対し回転軸Ｙを中心に回転させることによって、図５および図６に示すように光源ユニット５をその軸心Ｘ２をベース枠１の軸心Ｘ１に対し傾斜させるように配置することができる。
【００２９】
また防水カバー９の上端嵌着部９１が光源ユニット５のケーシング５１の下端部外周に弾性密着するように嵌め込まれている。その嵌め込み状態で結束バンド９５が防水カバー９の上端嵌着部９１の外周面に巻き付けられて防水カバー９の上端部がケーシング５１の下端部に水密状態に固定される。
【００３０】
これにより、光源ユニット５におけるケーシング５１の下端部外周面と、ベース枠１の周縁部との間の光路空間の周囲を全周にわたって覆うように防水カバー９が水密状態に取り付けられる。
【００３１】
本実施形態においては、光源ユニット５の軸心Ｘ２とベース枠１の軸心Ｘ１とは一致しないように光源ユニット５がベース枠１に取り付けられている。つまり垂直に配置した状態の光源ユニット５の軸心Ｘ２は、垂直に配置されるベース枠１の軸心Ｘ１に対し水平方向に位置をずらせた状態に配置されている。なお光源ユニット５の回転軸Ｙは、光源ユニット５の軸心Ｘ２に対し直交するように配置されている。
【００３２】
以上の構成の照明器具において、光源ユニット５の光源５２から発せられた照明光は、光源ユニット５の下端から出射して防水カバー９内の光路空間を通ってベース枠１の反射板３１内に導入され、反射板３１内を通って下方に出射することによって、照明器具の下方側が照明されるようになっている。
【００３３】
また本実施形態の照明器具においては既述した通り、ベース枠１に対し光源ユニット５を水平軸Ｙ回りに回転させることによって、図５および図６に示すように、光源ユニット５を傾斜させて配置できるため、光源ユニット５から出射される照明光を斜め下方に向けて照射できて、照射方向を傾けることができる。さらに光源ユニット５が取り付けられる回転枠３は、ベース枠１の垂直な軸心Ｘ１回りに回転自在に取り付けられているため、光源ユニット５を垂直軸Ｘ回りに適宜回転させつつ、水平軸Ｙ回りに回転させて傾倒させることにより、光源ユニット５から出射される照明光の方向を広範囲にわたって自在に調整することができる。
【００３４】
また本実施形態の照明器具においては、光源ユニット５の下端とベース枠１との間の光路空間の全周を防水カバー９によって覆っているため、ベース枠１の下側から反射板３１内を通って光路空間内に入り込んだ水分は防水カバー９によって、照明器具の外側における天井裏に浸入するのを防止でき、十分な防水性を確保することができる。
【００３５】
さらに本実施形態においては、光源ユニット５およびベース枠１間の外周を覆う防水カバー９によって防水性を確保しているため、従来の屋外用ダウンライトのようにベース枠１の下端開口面にその開口面を閉塞するように防水カバーを取り付ける必要がない。このためベース枠１の下端開口部から手指を不具合なく差し込むことができ、光源ユニット５の垂直軸回りの回転操作や水平軸回りの傾倒操作を簡単かつ確実に行うことができる。
【００３６】
また本実施形態の照明器具においては、光源ユニット５およびベース枠１間を覆う防水カバー９が伸縮性を備えているため図５および図６に示すように、光源ユニット５をベース枠１に対し角度調整操作（傾倒操作）を行った際に、その傾倒操作に追従して防水カバー９が伸縮変形する。このため光源ユニット５の傾倒操作を無理なくスムーズに行うことができるとともに、防水カバー９に極部的に多大な負荷が加わることがなく、防水カバー９の耐久性を十分に確保することができる。
【００３７】
特に本実施形態においては、防水カバー９を蛇腹状のゴム製チューブ等の軟性素材によって構成しているため、伸縮性を十分に確保することができ、上記した光源ユニット５の傾倒操作時における操作性や、防水カバー９の耐久性をより一層向上させることができる。
【００３８】
また本実施形態の照明器具においては、防水カバー９として黒色等の遮光性を有する素材によって構成しているため、防水カバー９によって視線が遮られることにより、照明器具のベース枠１内を下方から覗き込んだ際に、天井裏の状況等が認識されることがなく、良好な美観を得ることができる。もっとも本発明においては、防水カバーとして必ずしも遮光性のものを使用する必要がなく、透明ないし半透明な透光性を有するものを使用しても良い。このように透光性の防水カバーを採用した場合であっても少なくとも防水性を確保することができる。
【００３９】
なお上記実施形態においては、本発明の照明器具を天井壁に取り付けるダウンライトに適用した場合を例に挙げて説明したが、本発明の照明器具の取付場所は特に限定されるものではない。例えば壁面等の垂直面や、床面等の水平面に取り付けるようにしても良い。
【００４０】
さらに本発明の照明器具は、屋外だけに限られずに、屋内に取り付けるようにしても良い。例えば本発明の照明器具を室内プールや浴槽等の防水性が必要な屋内に取り付けるようにしても良い。
【産業上の利用可能性】
【００４１】
この発明の照明器具は、屋外に設置可能な防水性を有する角度可変式のユニバーサルダウンライト等として好適に用いることができる。
【符号の説明】
【００４２】
１：ベース枠
５：光源ユニット
９：防水カバー
Ｘ１：ベース枠の軸心
Ｙ：光源ユニットの回転軸
【図１】
2018125161.tif 000003
【図２】
2018125161.tif 000004
【図３】
2018125161.tif 000005
【図４】
2018125161.tif 000006
【図５】
2018125161.tif 000007
【図６】
2018125161.tif 000008